(57)【要約】【課題】簡単な構成により、通常時は商品見本及び背面発光手段を確実に保持することができるとともに、商品見本を交換する際に、背面発光手段が外れることなく、商品見本だけを簡単に入れ替えることができる自動販売機の商品見本保持部材を提供する。【解決手段】光を透過する矩形平板状の商品見本２と、背面発光手段である導光板３と、反射部材４とを重ねた状態で保持し、商品見本２を背面側から照射した光で照明する見本ホルダ１の、前面保持部１６の後面から背面保持部１５の前面までの寸法を、商品見本２と導光板３と反射部材４とが重なった状態での厚さより僅かに大きくし、商品見本２を側面保持部１７と前面保持部１６と導光板３の前面と保持突起部１１とで保持するとともに、上方向にはスライド移動可能で見本挿入部１９から出し入れできるようにする。【選択図】図４
2009251685.tif 000002
【特許請求の範囲】
【請求項１】
背面からの光を透過する板状の商品見本を保持して陳列する自動販売機の商品見本保持部材であって、
導光部材で形成され、外部からの光を内部へ導入する入光面と該入光面から導入された光を面発光する発光面を有し、該発光面の少なくとも一つが前記商品見本の背面に面するように前記商品見本の背面に近接して設けられた背面発光手段と、
前記背面発光手段の入光面へ光を照射する背面発光用光源と、
前記商品見本と前記背面発光手段とを重ねた状態で保持する保持手段とを備え、
前記保持手段が、商品見本の側面に当接して商品見本を保持するとともに、該商品見本を少なくとも一側面側への一方向のスライド移動によって当該商品見本保持部材に対し着脱可能とする見本保持部と、前記背面発光手段の側面に当接して背面発光手段を保持するとともに、商品見本がスライド移動する方向へ前記背面発光手段がスライド移動するのを規制する発光手段保持部とを有することを特徴とする自動販売機の商品見本保持部材。
【請求項２】
前記発光手段保持部と前記見本保持部が一体であることを特徴とする請求項１記載の自動販売機の商品見本保持部材。
【請求項３】
前記保持手段は、前記見本保持部が商品見本の側面を保持する部位では、その商品見本の側面を保持する部位の幅と前記発光手段保持部が前記背面発光手段の側面に当接する部位の幅との合計が、商品見本と前記背面発光手段とを重ねた状態の厚さより大きく、商品見本がスライド移動する方向の一側面側では、前記見本保持部が商品見本の側面を保持する部位が存在せず、前記発光手段保持部が前記背面発光手段の側面に当接する部位の幅が、該背面発光手段の厚さより小さいことを特徴とする請求項２記載の自動販売機の商品見本保持部材。
【請求項４】
前記背面発光手段の入光面および発光面以外の面を覆い、入光面および発光面以外の面から光が放出されないように光を反射して背面発光手段内に留めるととともに、入光面および発光面以外の面から外部の光が導入されるのを防ぐ反射部材を備え、前記保持手段が、前記商品見本と前記背面発光手段と前記反射部材とを重ねた状態で保持することを特徴とする請求項１または２記載の自動販売機の商品見本保持部材。
【請求項５】
前記保持手段は、前記見本保持部が商品見本の側面を保持する部位では、その商品見本の側面を保持する部位の幅と前記発光手段保持部が前記背面発光手段の側面に当接して該背面発光手段を前記反射部材と重ねて保持する部位の幅との合計が、前記商品見本と前記背面発光手段と前記反射部材とを重ねた状態の厚さより大きく、商品見本がスライド移動する方向の一側面側では、前記見本保持部が商品見本の側面を保持する部位が存在せず、前記発光手段保持部が前記背面発光手段の側面に当接して該背面発光手段を前記反射部材と重ねて保持する部位の幅が、該背面発光手段と反射部材を重ねた状態の厚さより小さいことを特徴とする請求項４記載の自動販売機の商品見本保持部材。
【請求項６】
前記商品見本及び前記背面発光手段が、矩形板状であることを特徴とする請求項１〜５のいずれか一項記載の自動販売機の商品見本保持部材。
【発明の詳細な説明】
【技術分野】
【０００１】
本発明は、面発光体により照明される商品見本を保持する自動販売機の商品見本保持部材に関する。
【背景技術】
【０００２】
自動販売機では、商品見本を陳列した陳列室内を蛍光灯等で照明するのが一般的であるが、そのほかに、透光性を有する商品見本を使用する場合に、商品見本保持装置によって陳列位置に保持する商品見本の背後に面状発光体を配置し、面状発光体からの光により、透光性を有する商品見本を背面側から照明することが提案されている（例えば、特許文献１参照。）。
【特許文献１】特開２００５−２８５０２９号公報
【発明の開示】
【発明が解決しようとする課題】
【０００３】
しかしながら、自動販売機において透光性を有する商品見本を面状発光体からの光で背面側から照明する場合に、従来の商品見本保持装置では、商品見本を交換のために取り外す際に、商品見本の背面側に配置した発光体が一緒に外れてしまったり、定位置から動いてしまうといった問題があった。
本発明は、簡単な構成により、通常時は商品見本及び背面発光手段を確実に保持することができるとともに、商品見本を交換する際に、背面発光手段が外れることなく、商品見本だけを簡単に入れ替えることができる自動販売機の商品見本保持部材を提供することを目的とする。
【課題を解決するための手段】
【０００４】
本発明の自動販売機の商品見本保持部材は、背面からの光を透過する板状の商品見本を保持して陳列する自動販売機の商品見本保持部材であって、導光部材で形成され、外部からの光を内部へ導入する入光面と該入光面から導入された光を面発光する発光面を有し、該発光面の少なくとも一つが商品見本の背面に面するように商品見本の背面に近接して設けられた背面発光手段と、背面発光手段の入光面へ光を照射する背面発光用光源と、商品見本と背面発光手段とを重ねた状態で保持する保持手段とを備え、該保持手段が、商品見本の側面に当接して商品見本を保持するとともに、該商品見本を少なくとも一側面側への一方向のスライド移動によって商品見本保持部材に対し着脱可能とする見本保持部と、背面発光手段の側面に当接して背面発光手段を保持するとともに、商品見本がスライド移動する方向へ背面発光手段がスライド移動するのを規制する発光手段保持部とを有することを特徴とする。
【０００５】
この自動販売機の商品見本保持部材は、通常時は商品見本及び背面発光手段を見本保持部と発光手段保持部とで確実に保持することができる。そして、商品見本を交換する際には、発光手段保持部が、商品見本がスライド移動する方向へ背面発光手段がスライド移動するのを規制するので、商品見本を交換する際に、背面発光手段が外れることなく、商品見本だけを簡単に入れ替えることができる。
【０００６】
また、この自動販売機の商品見本保持部材は、発光手段保持部と見本保持部が一体であるのがよい。
【０００７】
発光手段保持部と見本保持部が一体であるようにすることで、簡単な構成で、背面発光手段をしっかり固定しつつ、商品見本を一方向から出し入れして簡単に交換できるようにすることができる。
【０００８】
また、この自動販売機の商品見本保持部材において、保持手段は、見本保持部が商品見本の側面を保持する部位では、その商品見本の側面を保持する部位の幅と発光手段保持部が背面発光手段の側面に当接する部位の幅との合計が、商品見本と背面発光手段とを重ねた状態の厚さより大きく、商品見本がスライド移動する方向の一側面側では、見本保持部が商品見本の側面を保持する部位が存在せず、発光手段保持部が背面発光手段の側面に当接する部位の幅が、背面発光手段の厚さより小さいようにするのがよい。
【０００９】
こうすることで、前方に位置する商品見本を出し入れ自在としつつ、商品見本を交換する際にも背面発光手段をしっかりと保持することができる。
【００１０】
また、この自動販売機の商品見本保持部材は、背面発光手段の入光面および発光面以外の面を覆い、入光面および発光面以外の面から光が放出されないように光を反射して背面発光手段内に留めるととともに、入光面および発光面以外の面から外部の光が導入されるのを防ぐ反射部材を備え、保持手段が、商品見本と背面発光手段と反射部材とを重ねた状態で保持するようにするのがよい。
【００１１】
こうすることで、商品見本等を保持するスペースを低減し、構成を簡単にすることができる。
【００１２】
そして、その場合に、保持手段は、見本保持部が商品見本の側面を保持する部位では、その商品見本の側面を保持する部位の幅と発光手段保持部が前記背面発光手段の側面に当接して背面発光手段を反射部材と重ねて保持する部位の幅との合計が、商品見本と背面発光手段と反射部材とを重ねた状態の厚さより大きく、商品見本がスライド移動する方向の一側面側では、見本保持部が商品見本の側面を保持する部位が存在せず、発光手段保持部が背面発光手段の側面に当接して背面発光手段を反射部材と重ねて保持する部位の幅が、背面発光手段と反射部材を重ねた状態の厚さより小さいようにするのがよい。
【００１３】
こうすることで、前方に位置する商品見本を出し入れ自在としつつ、商品見本を交換する際にも背面発光手段をしっかりと保持することができる。
【００１４】
また、この自動販売機の商品見本保持部材は、商品見本及び背面発光手段が、矩形板状である場合に好適である。
【００１５】
商品見本及び背面発光手段が矩形板状であると、商品見本の三方側面と背面発光手段四方側面を保持するだけで、しっかりと保持することができ、構成が簡単となる。
【発明の効果】
【００１６】
このように、本発明によれば、自動販売機の商品見本保持部材を、簡単な構成により、通常時は商品見本及び背面発光手段を確実に保持することができるとともに、商品見本を交換する際に、背面発光手段が外れることなく、商品見本だけを簡単に入れ替えることができるものとすることができる。
【発明を実施するための最良の形態】
【００１７】
以下、本発明の実施形態を図面に基づいて説明する。
図１〜図５は、本発明の実施形態の一例を示している、図１は見本ホルダの構成を示す斜視図、図２は見本ホルダの正面図、図３は見本ホルダの側面図、図４は見本ホルダの商品見本取付状態の正面図（ａ）および側面図（ｂ）、図５は見本ホルダの商品見本取付手順の説明図である。
【００１８】
図１に示す見本ホルダ１は、自動販売機の前面に設けられる商品見本２を陳列する商品見本陳列部に取付固定され、光を透過可能な樹脂で形成された薄い矩形平板状のフィルム型商品見本２と、商品見本２を背面側から照明するための背面発光手段である平板状の導光板３と、導光板３の背面側に配置されて、導光板３から漏れる光を反射して導光板３の内部へ戻すためのシート状の反射部材４の３つを重ねた状態で保持する商品見本保持部材であって、この見本ホルダ１に保持される商品見本２を、背面側から照射された光を前面側へと透過することで照明し、商品見本２の前面側から見て、商品見本２が発光しているように見せるようになっている。
【００１９】
背面発光手段である導光板３は、アクリル樹脂等の導光性材料からなる導光部材で商品見本２とほぼ同じ横幅の矩形平板状に形成され、取付時の垂直に立てた状態の下面の、両端部を除く部分に、外部からの光を内部へ導入（入光）する入光面となる導光板入光部５が設けられ、背面に、入光した光を導光板３内で乱反射させるため複数の凹凸部（ドット）が設けられ、前面に、入光して導光板３内で乱反射・拡散した光を面発光する発光面となる導光板出光部６が設けられている。
【００２０】
導光板出光部６は、商品見本２を背面から照明するように陳列時の商品見本２の背面が接する位置の略全域が面発光する見本出光部７と、商品価格を表示するための価格シート９を背面から照明するよう陳列時の価格シート９の背面が接する位置の略全域が面発光する価格出光部８からなっている。
【００２１】
価格シート９もまた、商品見本２と同様に、光を透過可能な樹脂で薄板形状のフィルム型に形成されている。
【００２２】
導光板３は、下面の導光板入光部５から光を導入して、その導入した光を背面の凹凸部により導光板３内部で反射拡散し、拡散した光を商品見本２に面する前面の導光板出光部６から出光する。
【００２３】
また、導光板３の前面下方部には、価格シート９の下方を保持するよう前方側へ突出した凸部形状の価格下方保持部１０が設けられ、また、その価格下方保持部１０のやや上に、導光板３の左右端付近で商品見本２の横幅より狭い間隔で前方側へ直方体形状で突出する２つの保持突起部１１が設けられている。この保持突起部１１は、保持突起部１１の側部が価格シート９の両左右側面を保持するとともに、保持突起部１１の上部が商品見本２の下面部の左右両端近傍を保持するもので、保持突起部１１の導光板３本体からの突出幅は、商品見本２の厚さとほぼ同じ大きさとなっている。また、導光板３の側面下部には、見本ホルダ１に係合して導光板３自体を見本ホルダ１に保持する導光板係合部１２が設けられている。
【００２４】
反射部材４は、光を透過せずに反射する白色系の素材により形成され、上方側部と、左右側方部と、導光板入光部５を除く下方両側縁部が折り曲げられ、導光板３をすっぽりと収めて、導光板３の入光面および発光面以外の面、すなわち導光板出光部６と導光板入光部５を除く面を覆い、入光面および発光面以外の面から光が放出されないように光を反射して背面発光手段内に留めるととともに、入光面および発光面以外の面から外部の光が導入されるのを防ぐ箱形状となっている。
【００２５】
見本ホルダ１は、アクリル樹脂のような透明な導光性材料からなる導光部材で一体成形され、基台となるホルダ本体１３と、ホルダ本体１３上部に形成され、導光板３の上面を保持するための上面保持部１４と、ホルダ本体１３に設けられ、商品見本２と導光板３と反射シート４を重ねた状態で商品見本２と導光板３の背面を保持する背面保持部１５と、ホルダ本体１３の両側方から前方側にＬ字形状に延びるように形成され、商品見本２の前縁左右両側部を保持する前面保持部１６と、商品見本２と導光板３の両側面を保持する側面保持部１７が形成されている。そして、その前面保持部１６と側面保持部１７と背面保持部１５とが断面コの字状をなして、その内側にスリットが形成され、このスリットの内部の前後間隔が、商品見本２と導光板３と反射部材４を重ねた厚さより僅かに幅の広い保持間隔となっている。
【００２６】
見本ホルダ１の上面保持部１４の前方側先端から背面保持部１５の前面位置までの寸法は、導光板３と反射部材４が重なった状態での厚さとほぼ同等かそれ以下で、前面保持部１６の後面から上面保持部１４の前方側先端までの幅で見本挿入部１９が形成されている。そして、前面保持部１６の後面から背面保持部１５の前面までの寸法は、商品見本２と導光板３と反射部材４とが重なった状態での厚さより僅かに大きい。そのため、商品見本２は、側面保持部１７と前面保持部１６と導光板３の前面と保持突起部１１とで保持されているが、商品見本２の上側は上面保持部１４に当接しないため保持されず、上方向にスライド移動可能であり、見本挿入部１９から商品見本２の出し入れが可能である。
【００２７】
また、見本ホルダ１には、前面保持部１６の下方に、価格シート９の前面左右両側縁部を保持するように価格保持部２０が設けられている。価格シート９は、見本ホルダ１の価格保持部２０と導光板３の前面と価格下方支持部１０とによって保持され、価格シート９の上側のみは当接する保持部がないため保持されず、上方向にスライド移動可能で、価格シート９の出し入れが可能である。
【００２８】
また、導光板３は、側面保持部１７と背面保持部１５と前面保持部１６と導光板保持部２３と上面保持部１４とによって６面が保持され、見本ホルダ１に完全に固定されている。
【００２９】
また、見本ホルダ１は、下方左右両端部に、ホルダ本体１３から下方へ伸びた撓み部２１が形成され、背面保持部１５の最下部が撓み部２１の上方位置までとなっていて、撓み部２１が左右方向に撓むことが可能となっている。
【００３０】
そして、左右両側の撓み部２１には、同じ高さ位置に、先端部同士が導光板３の幅より僅かに狭い間隔で向き合うように見本ホルダ１の中央方向へ向かって突出した係合突起部２２が設けられ、これら係合突起部２２には、上面側には、導光板３の下方側縁部を支持する導光板保持部２３が形成され、下面側に、下方外側に向かって傾斜した、光を入光させるためのホルダ入光部２４が形成されている。
【００３１】
また、左右両側の撓み部２１の最下部には、先端部同士が導光板３の幅とほぼ同等か僅かに広い間隔で向き合うように見本ホルダ１の中央方向へ向かって突出した、光源基板２５を保持固定するための基板保持部２６が設けられている。
【００３２】
また、見本ホルダ１の前面保持部１６の前面部、上面保持部１４の前面部、価格保持部２０の前面部その他の、前方に向いた見本ホルダ１の面には、ホルダ入光部２４から入光した光がホルダ本体１３内で拡散して面発光するホルダ出光部２７が形成されている。
【００３３】
ホルダ出光部２７の、発光面に対向する後方側の面には、入光された光を導光板３内で乱反射させるための複数の凹凸部（ドット）が形成されている。
【００３４】
また、ホルダ本体１３のホルダ入光部２４及びホルダ出光部２７以外の面には、見本ホルダ１内から発する光を反射して見本ホルダ１内へ戻すよう反射材が塗布されている。
【００３５】
なお、図示の例では、見本ホルダ１及び導光板３に内部の光を反射拡散する凹凸部（ドット）が、ホルダ出光部２７と導光板３の見本出光部７および価格出光部８の発光面に対向する背面側の面に設けられているが、各出光部の発光面に発光用の白色パターンを印刷して出光部を面発光させる方法を採用してもよい。
【００３６】
光源基板２５は、平板状の基板本体２８の上面部中央付近に、導光板３の導光板入光部５へ光を照射するための導光板光源としての導光板用ＬＥＤ２９が複数個並べて設けられ、基板本体２８の上面の両側端付近には、見本ホルダ１のホルダ入光部２４へ光を照射するためのホルダ光源としてのホルダ用ＬＥＤ３０がそれぞれ設けられ、それら光源は、光源基板２５を見本ホルダ１に取り付けた時に、導光板３の導光板入光部５および見本ホルダ１のホルダ入光部２４へそれぞれ光を照射するように、各入光部５，２４に各ＬＥＤ２９，３０の発光部が向けられている。また、導光板光源（導光板用ＬＥＤ２９）とホルダ光源（ホルダ用ＬＥＤ３０）の間には、各光源の光が混ざるのを防ぐため、光を遮断する光源遮光部３１が取り付けられている。なお、各光源のＬＥＤは、多色発光のマルチカラーＬＥＤを使用している。
【００３７】
この実施形態では、見本ホルダ１下部に設けられる導光板光源（導光板用ＬＥＤ２９）を発光させると、導光板光源（導光板用ＬＥＤ２９）からの光が、導光板３の下部に設けられる導光板入光部５から入光し、導光板３の内部で拡散反射して、導光板３の後面の凹凸部で前方側へ拡散反射し、導光板３の前面側に設けられる見本出光部７と価格出光部８から面発光して、導光板３前方に位置する商品見本２及び価格シート９を背面から照明する。
【００３８】
また、見本ホルダ１の下部に設けられるホルダ光源（ホルダ用ＬＥＤ３０）を発光させると、ホルダ光源（ホルダ用ＬＥＤ３０）からの光が、係合突起部２２に設けられるホルダ入光部２４から入光し、見本ホルダ１内部で拡散反射して、ホルダ出光部２７の後方側に位置する凹凸部で前方側へ拡散反射し、見本ホルダ１前面側に設けられるホルダ出光部２７から面発光して、見本ホルダ１の前方縁部分が発光する。
【００３９】
そして、各光源の発光色を変化させたり、点滅させる等のイルミネーションを行うことで、商品見本２、価格シート９、見本ホルダ１は、それぞれの光源が発した色にイルミネーション発光する。この場合、イルミネーションパターンについては、適宜設定してもよいし、予めメモリに記憶しておき、それを呼び出すようにしてもよい。
【００４０】
見本ホルダ１には、後面に、商品見本陳列部に取付固定するための固定部３２が設けられている。見本ホルダ１は、この固定部３２を商品見本陳列部に設けられる被固定部に係合固定させることで取り付ける。
【００４１】
この実施形態における見本ホルダへの商品見本の取付手順は、図５に示すとおりで、まず、見本ホルダ１の下方から、反射部材４によって導光板出光部６と導光板入光部５以外の周囲が覆われた導光板３を挿入する。すると、導光板３の横幅よりもやや狭い間隔の係合突起部２２の下方の傾斜面に導光板３の上面が当接して、係合突起部２２が側方外方向に押しやられて、撓み部２１が外方向へ撓み、それにより、左右の係合突起部２２の間隔が開いて導光板３が通過可能となり、導光板３が見本ホルダ１内の前面保持部１６と背面保持部１５との間に挿入される。
【００４２】
そして、導光板３の下方に位置する導光板係合部１２が係合突起部２２を通過して、導光板３の上面が上面保持部１４に当接して保持されるとともに、導光板３によって外側に撓んでいた撓み部２１の撓みが解消され、係合突起部２２の先端の間隔が導光板３の横幅より狭くなって、導光板保持部２３が導光板３の下面に当接して導光板３を保持する。このとき、導光板３の導光板係合部１２が見本ホルダ１の側面保持部１７の内側の面を外側に押すように当接してズレを防止し、導光板３と反射シート４が見本ホルダ１に保持固定される。
【００４３】
その後、光源基板２５を見本ホルダ１の下方の基板保持部２３に挿入し、ホルダ光源（ホルダ用ＬＥＤ３０）をホルダ入光部２４に臨む位置になるように、また、導光板光源（導光板用ＬＥＤ２９）を導光板入光部５に臨む位置になるようにそれぞれ固定する。
【００４４】
そして、価格シート９を価格下方保持部１０と導光板３の間に挿入し、商品見本２を見本挿入部１９から前面保持部１６と導光板３の間に挿入することで商品見本２及び価格シート９を陳列保持する。
【図面の簡単な説明】
【００４５】
【図１】本発明の実施形態の見本ホルダの構成を示す斜視図である。
【図２】図１の見本ホルダの正面図である。
【図３】図１の見本ホルダの側面図である。
【図４】図１の見本ホルダの商品見本取付状態の正面図（ａ）および側面図（ｂ）である。
【図５】図１の見本ホルダの商品見本取付手順の説明図である。
【符号の説明】
【００４６】
１  見本ホルダ
２  商品見本
３  導光板
４  反射部材
５  導光板入光部
６  導光板出光部
７  見本出光部
８  価格出光部
９  価格シート
１０  価格下方保持部
１１  保持突起部
１２  導光板係合部
１３  ホルダ本体
１４  上面保持部
１５  背面保持部
１６  前面保持部
１７  側面保持部
１８  保持間隔
１９  見本挿入部
２０  価格保持部
２１  撓み部
２２  係合突起部
２３  導光板保持部
２４  ホルダ入光部
２５  光源基板
２６  基板保持部
２７  ホルダ出光部
２８  基板本体
２９  導光板用ＬＥＤ（導光板光源）
３０  ホルダ用ＬＥＤ（ホルダ光源）
３１  光源遮光部
３２  固定部
【図１】
2009251685.tif 000003
【図２】
2009251685.tif 000004
【図３】
2009251685.tif 000005
【図４】
2009251685.tif 000006
【図５】
2009251685.tif 000007